(57)【特許請求の範囲】
【請求項１】
入金された貨幣を両替することができる貨幣処理装置において、
貨幣を入金するための貨幣入金部と、
貨幣を出金するための貨幣出金部と、
前記貨幣入金部に入金された入金貨幣を金種別に計数する計数部と、
前記計数部で計数された入金貨幣の数量を記憶する記憶部と、
前記貨幣入金部に入金された貨幣の合計金額の範囲内で、前記貨幣出金部から出金する両替金種および数量を指定するための指定部と、
前記指定部で指定された貨幣の数量と、前記記憶部に記憶された入金貨幣の数量とを比較する比較部と、
前記比較部での比較結果を用いて、両替にかかる手数料を算出する手数料算出部と、
前記指定部で指定された内容に基づいて貨幣を出金するとともに、前記手数料算出部で算出された両替手数料を徴収するよう制御する制御部と、
を備えたことを特徴とする貨幣処理装置。
【請求項２】
前記手数料の課金対象となる所定の貨幣を設定する課金対象設定部をさらに備え、
前記比較部は、前記指定部で指定された貨幣のうち前記課金対象設定部で設定された貨幣の数量と、前記記憶部に記憶された入金貨幣の数量とを比較することを特徴とする請求項１に記載の貨幣処理装置。
【請求項３】
前記手数料算出部は、前記比較部で比較された貨幣のうち数量の多い貨幣の数量に基づいて両替にかかる手数料を算出することを特徴とする請求項１または２のいずれかに記載の貨幣処理装置。
【請求項４】
利用者の顧客区分を判別する顧客区分判別部をさらに備え、
前記手数料算出部は、前記顧客区分判別部によって判別された顧客区分に基づいて両替にかかる手数料を算出することを特徴とする請求項１乃至３のいずれか１項に記載の貨幣処理装置。
【請求項５】
前記記憶部は、日にちまたは時間を記憶する日時情報記憶部をさらに有し、
前記手数料算出部は、前記日時情報記憶部に記憶された日にちまたは時間に基づいて両替にかかる手数料を算出することを特徴とする請求項１乃至４のいずれか１項に記載の貨幣処理装置。
【請求項６】
前記制御部は、前記顧客区分または前記日にちもしくは時間に応じて、前記手数料算出部で算出された手数料のうち、高くなる手数料で徴収するか安くなる手数料で徴収するかを切り換えることを特徴とする請求項４または５のいずれかに記載の貨幣処理装置。
【請求項７】
入金された貨幣を両替することができる貨幣処理装置において、
貨幣を入金するための貨幣入金部と、
貨幣を出金するための貨幣出金部と、
前記貨幣入金部に入金された入金貨幣を金種別に計数する計数部と、
前記計数部で計数された入金貨幣の数量を記憶する記憶部と、
前記貨幣入金部に入金された貨幣の合計金額の範囲内で、前記貨幣出金部から出金する両替金種および数量を指定するための指定部と、
前記記憶部に記憶された入金貨幣の数量に基づいて両替にかかる手数料を算出するか、前記指定部で指定された貨幣の数量に基づいて前記手数料を算出するかを設定することができる設定部と、
前記設定部での設定に基づいて、両替に関する手数料を算出する手数料算出部と、
前記指定部で指定された内容に基づいて貨幣を出金するとともに、前記手数料算出部で算出された両替手数料を徴収するよう制御する制御部と、
を備えたことを特徴とする貨幣処理装置。
【請求項８】
前記手数料算出部は、前記指定部で指定される貨幣が包装硬貨である場合は、他の貨幣とは別の設定に基づいて枚数を換算することを特徴とする請求項１乃至７のいずれか１項に記載の貨幣処理装置。
【発明の詳細な説明】
【技術分野】
【０００１】
本発明は、入金された貨幣を両替することができる貨幣処理装置に関する。
【背景技術】
【０００２】
従来から、金融機関などに設置されている貨幣処理装置では、両替時に支払う貨幣の枚数に基づいて両替手数料（両替にかかる手数料）が算出されている（特許文献１参照）。
【０００３】
しかしながら、このような従来の貨幣処理装置では、両替元となる投入貨幣の枚数が両替先となる支払い貨幣の枚数よりも多い場合（例えば大量の硬貨を少量の紙幣に両替する、所謂、逆両替の場合）であっても、払い出す貨幣の枚数に基づいて両替手数料を算出することになっている。
【０００４】
このため、大量の貨幣（例えば硬貨）が従来の貨幣処理装置に投入された場合、貨幣処理装置が投入された大量の貨幣の処理に手間がかかっているのにも関わらず、安い両替手数料しか徴収することができない。この結果、貨幣を処理する際にかかる負荷に対して、正当な手数料を徴収することができないという問題があった。
【０００５】
一方、金融機関においては、サービス向上のために、特定顧客に対しては、負荷に対して両替手数料を徴収するのではなく、従来通りの徴収をしたいなど、融通を利かせた両替手数料の設定を行いたいという要望もある。
【先行技術文献】
【特許文献】
【０００６】
【特許文献１】特開２００７-１９３７１６号公報（特に図５参照）
【発明の概要】
【発明が解決しようとする課題】
【０００７】
本発明は、このような点を考慮してなされたものであり、貨幣を処理する際にかかる負荷に対して、正当な手数料を徴収することができる貨幣処理装置を提供することを目的とする。
【課題を解決するための手段】
【０００８】
本発明の第一の態様による貨幣処理装置は、
入金された貨幣を両替することができる貨幣処理装置であって、
貨幣を入金するための貨幣入金部と、
貨幣を出金するための貨幣出金部と、
前記貨幣入金部に入金された入金貨幣を金種別に計数する計数部と、
前記計数部で計数された入金貨幣の数量を記憶する記憶部と、
前記貨幣入金部に入金された貨幣の合計金額の範囲内で、前記貨幣出金部から出金する両替金種および数量を指定するための指定部と、
前記指定部で指定された貨幣の数量と、前記記憶部に記憶された入金貨幣の数量とを比較する比較部と、
前記比較部での比較結果を用いて、両替にかかる手数料を算出する手数料算出部と、
前記指定部で指定された内容に基づいて貨幣を出金するとともに、前記手数料算出部で算出された両替手数料を徴収するよう制御する制御部と、
を備えている。
【０００９】
本発明の第一の態様による貨幣処理装置は、
前記手数料の課金対象となる所定の貨幣を設定する課金対象設定部をさらに備え、
前記比較部が、前記指定部で指定された貨幣のうち前記課金対象設定部で設定された貨幣の数量と、前記記憶部に記憶された入金貨幣の数量とを比較してもよい。
【００１０】
本発明の第一の態様による貨幣処理装置において、
前記手数料算出部は、前記比較部で比較された貨幣のうち数量の多い貨幣の数量に基づいて両替にかかる手数料を算出してもよい。
【００１１】
本発明の第一の態様による貨幣処理装置は、
利用者の顧客区分を判別する顧客区分判別部をさらに備え、
前記手数料算出部は、前記顧客区分判別部によって判別された顧客区分に基づいて両替にかかる手数料を算出してもよい。
【００１２】
本発明の第一の態様による貨幣処理装置において、
前記記憶部は、日にちまたは時間を記憶する日時情報記憶部をさらに有し、
前記手数料算出部は、前記日時情報記憶部に記憶された日にちまたは時間に基づいて両替にかかる手数料を算出してもよい。
【００１３】
本発明の第一の態様による貨幣処理装置において、
前記制御部は、前記顧客区分または前記日にちもしくは時間に応じて、前記手数料算出部で算出された手数料のうち、高くなる手数料で徴収するか安くなる手数料で徴収するかを切り換えてもよい。
【００１４】
本発明の第二の態様による貨幣処理装置は、
入金された貨幣を両替することができる貨幣処理装置であって、
貨幣を入金するための貨幣入金部と、
貨幣を出金するための貨幣出金部と、
前記貨幣入金部に入金された入金貨幣を金種別に計数する計数部と、
前記計数部で計数された入金貨幣の数量を記憶する記憶部と、
前記貨幣入金部に入金された貨幣の合計金額の範囲内で、前記貨幣出金部から出金する両替金種および数量を指定するための指定部と、
前記記憶部に記憶された入金貨幣の数量に基づいて両替にかかる手数料を算出するか、前記指定部で指定された貨幣の数量に基づいて前記手数料を算出するかを設定することができる設定部と、
前記設定部での設定に基づいて、両替に関する手数料を算出する手数料算出部と、
前記指定部で指定された内容に基づいて貨幣を出金するとともに、前記手数料算出部で算出された両替手数料を徴収するよう制御する制御部と、
を備えている。
【００１５】
本発明の第一の態様および第二の態様による貨幣処理装置において、
前記手数料算出部は、前記指定部で指定される貨幣が包装硬貨である場合は、他の貨幣とは別の設定に基づいて枚数を換算してもよい。
【発明の効果】
【００１６】
本発明によれば、指定部で指定された貨幣の数量と、記憶部に記憶された入金貨幣の数量とが比較され、その比較された結果を用いて、両替にかかる手数料が算出される。このため、貨幣を処理する際にかかる負荷に対して、正当な手数料を徴収することができるとともに、サービス向上のための設定を容易に行うことができる。
【００１７】
また、本発明によれば、入金貨幣の数量に基づいて両替にかかる手数料を算出するか、指定部で指定された貨幣の数量に基づいて手数料を算出するかを設定することができる。このため、金融機関の両替に関する手数料体系に応じて、容易に設定することができる。
【図面の簡単な説明】
【００１８】
【図１】本発明の実施の形態による貨幣両替機を示す斜視図。
【図２】本発明の第１の実施の形態による貨幣両替機内の信号伝達を説明するための構成図。
【図３】本発明の実施の形態で用いられる、顧客区分と時間に応じた両替手数料を示した表と、顧客区分と日にちに応じた両替手数料を示した表。
【図４】本発明の第１の実施の形態による貨幣両替機での両替処理のフローを示した図。
【図５】本発明の第１の実施の形態による貨幣両替機での両替手数料算出処理のフローを示した図。
【図６】本発明の第２の実施の形態による貨幣両替機内の信号伝達を説明するための構成図。
【発明を実施するための形態】
【００１９】
［第１の実施の形態］
以下、本発明に係る入金された貨幣を両替することができる貨幣処理装置の第１の実施の形態について、図面を参照して説明する。ここで、図１乃至図５は本発明の第１の実施の形態を示す図である。
【００２０】
図１に示すように、貨幣処理装置は、筐体６０と、筐体６０に設けられて貨幣を入金するための貨幣入金部２１，３５と、筐体６０に設けられて貨幣を出金するための貨幣出金部２２，２３，３５と、貨幣入金部２１，３５に入金された貨幣の合計金額の範囲内で、貨幣出金部２２，２３，３５から出金する両替金種、両替形態および数量、すなわち両替パターンを指定するための操作パネル（指定部）６１と、を備えている。
【００２１】
このうち、貨幣入金部２１，３５は、図１に示すように、硬貨を入金するための硬貨入金口２１と、紙幣入出金口３５と、を有している。他方、貨幣出金部２２，２３，３５は、バラ硬貨を出金するためのバラ硬貨出金口２２と、棒金を出金するための棒金出金口２３と、紙幣を入出金するための紙幣入出金口３５とを有している。なお、本願において、貨幣入金部２１，３５と貨幣出金部２２，２３，３５は別々の部分から構成される必要はなく、同じ部分から構成されてもよい（現に、本実施の形態では、紙幣入出金口３５が紙幣を入出金するために用いられている。）。
【００２２】
ところで、貨幣両替機１は、硬貨を処理するための硬貨処理部２０と、紙幣を処理するための紙幣処理部３０とを備えている。そして、硬貨処理部２０が、上述の硬貨入金口２１と、バラ硬貨出金口２２と、棒金出金口２３とを有している。他方、紙幣処理部３０が上述の紙幣入出金口３５を有している。なお、読み取ることができなかった紙幣や搬送異常を起こした紙幣は、当該紙幣入出金口３５から返却されることとなる。また、筐体６０には、識別することができなかった硬貨や、入金された貨幣に混入していた異物などを返却する返却口２５が設けられている。また、硬貨処理部２０は、符号を付して示していないが、バラ硬貨を処理するバラ硬貨処理部と、棒金硬貨を処理する棒金硬貨処理部とを有している。
【００２３】
また、図１に示すように、貨幣両替機１は、カードが挿入されて受け付けられるカード挿入口４１と、カード挿入口４１から挿入されたカードに関するデータ処理を行うカード処理部（利用者識別部）４５と、行われた処理に基づいて両替金額や両替金種などをレシートに印字などを行うレシート処理部５５と、レシート処理部５５で印字されたレシートを発行するレシート発行口５１と、筐体６０に設けられて処理状態を表示する状態表示部６２も、備えている。なお、本実施の形態では、利用者識別部としてカード処理部４５を用いて説明しているが、これに限られることはなく、例えば、人の指の静脈を認証する静脈認証部などを用いることもできる。
【００２４】
また、図２に示すように、貨幣処理装置は、貨幣入金部２１，３５に入金された入金貨幣を金種別に計数する計数部６５と、計数部６５で計数された入金貨幣の数量（枚数）を記憶する入金数量記憶部７２を含む記憶部７０と、操作パネル６１で指定された貨幣の数量と、記憶部７０に記憶された入金貨幣の数量とを比較する比較部１０と、比較部１０での比較結果を用いて、両替にかかる手数料を算出する手数料算出部１１と、操作パネル６１で指定された内容に基づいて貨幣を出金するとともに、手数料算出部１１で算出された両替手数料を徴収するよう制御する制御部１５も、備えている。なお、制御部１５はＲＯＭ１６とＲＡＭ１７を有している。
【００２５】
また、図２に示すように、貨幣処理装置は、両替にかかる手数料の課金対象となる所定の貨幣、例えば金種や貨幣の形態を設定する課金対象設定部８２と、利用者を特定し、当該利用者の顧客区分を判別する顧客区分判別部８１も備えている。なお、課金対象設定部８２は、保守やメンテナンスの時に係員が使用する係員操作部８３に設けられている。
【００２６】
また、図２に示すように、記憶部７０は、予め設定された両替にかかる手数料を記憶する手数料設定記憶部７１と、課金対象設定部８２で設定された課金対象を記憶する課金対象設定記憶部７３と、顧客の取引履歴、口座情報などの顧客情報を記憶する顧客情報記憶部７４と、日にちまたは時間を記憶する情報を記憶する日時情報記憶部７５も、有している。
【００２７】
図３（ａ）には、顧客区分と時間（営業時間内または営業時間外）に応じた両替手数料を示した表が示され、図３（ｂ）には、顧客区分と日にち（平日または休日（祭りなどのイベント日を含む））に応じた両替手数料を示した表が示されている。
【００２８】
なお、顧客区分は、一見客、一般客、第１優遇客および第２優遇客、並びに、自行客および他行客に区分されている。そして、金融機関が両替専用に発行する両替カードを用いて両替される際には、利用者が、一般客、第１優遇客および第２優遇客のいずれに区分されるかが、顧客情報記憶部７４に記憶された顧客情報に基づいて、顧客区分判別部８１によって判別される。他方、金融機関が口座開設の際に発行するキャッシュカードを用いて両替される際には、利用者が自行客および他行客のいずれに区分されるかが、カード挿入口４１から挿入されたカードが自行のキャッシュカードか他行のキャッシュカードかで判別される。なお、利用者がカードを用いずに両替する場合には、当該利用者は初めて来店する一見客とみなされる。なお、第１優遇客とは、自店舗に取引口座を有した上で定期預金などの貯蓄性の高い口座も備えた顧客のことである。また、第２優遇客とは、自店舗に取引口座を有した上で定期預金などの貯蓄性の高い口座も備え、両替の頻度や両替額が多い顧客のことである。
【００２９】
本実施の形態では、手数料算出部１１は、比較部１０で比較された貨幣のうち数量の多い貨幣の数量に基づいて両替にかかる手数料を算出するように構成されている。なおこのとき、手数料算出部１１は、数量の多い貨幣の数量に関して、顧客区分判別部８１によって判別された顧客区分と、日時情報記憶部７５に記憶された日にちまたは時間に基づいて両替にかかる手数料を算出するように構成されている。
【００３０】
また、本実施の形態の手数料算出部１１は、操作パネル６１で指定される貨幣が包装硬貨である場合には、他の貨幣とは別の設定に基づいて枚数を換算するように構成されている。より具体的には、手数料算出部１１は、包装硬貨１本につき５０枚として換算する。なお、包装硬貨１本につき５０枚というのは、通常、包装硬貨１本に５０枚の硬貨が包装されているためであるが、これに限られることはない。例えば、包装硬貨１本につき２０枚または３０枚などとしてやり、実際にかかる負荷に応じて枚数を決定してもよい。
【００３１】
次に、このような構成からなる本実施の形態の作用および効果について説明する。
【００３２】
まず、利用者がカードを使用する場合は、カード挿入口４１からカードが挿入される。このことによって、カード処理部４５によってカードが検知され、カードのデータが読み取られる（図４のＳ１２参照）。なお、ここでカードのデータとは、カード種別の他に、例えば、カード自体に記憶された口座在高や両替に関する取引回数などの顧客情報であってもよいし、カードに記憶されたカード番号や口座番号などの顧客特定情報でもあってもよい。そして、顧客特定情報を用いる場合には、当該顧客特定情報にひも付けされて顧客情報記憶部７４に記憶された顧客情報が、顧客区分判別部８１によって読み出されることとなる。また、利用者がカードを使用しない場合には、操作パネル６１上のカード無しボタンが利用者によって押下されることで、硬貨入金口２１や紙幣入出金口３５の図示しないシャッタが開放される。
【００３３】
次に、顧客区分判別部８１によって、読み出された顧客情報に基づいて顧客区分が判別されるとともに、所定期間内（例えば一日）において何回目の取引かが判別される（図４のＳ１３参照）。顧客区分を判別する際には、一般客、第１優遇客、第２優遇客、自行客および他行客の区分のうち、当該利用者がどの区分に属するかが判別される（図３（ａ）（ｂ）参照）。
【００３４】
次に、取引回数（Ｃ）が基準値（例えば２回）と比較され（図４のＳ１４参照）、基準値以上であるかが判断される（図４のＳ１５参照）。
【００３５】
（有料両替取引）
ここで、取引回数（Ｃ）が基準値以上であると判断された場合には、有料両替取引として、以下の工程が行われる。なお、利用者によってカード挿入口４１にカードが挿入されずに両替が行われる場合には一見客とみなされて、有料両替取引として、同様に以下の工程が行われる。
【００３６】
まず、硬貨入金口２１や紙幣入出金口３５に入金された硬貨や紙幣などの入金貨幣の枚数が、計数部６５によって金種別に計数される（図４のＳ２１参照）。このとき、入金数量記憶部７２に、計数部６５で計数された入金貨幣の数量が記憶される。
【００３７】
次に、利用者によって、両替パターン（操作パネル６１で指定された貨幣の両替金種、両替形態および数量）が選択される（図４のＳ２２参照）。
【００３８】
次に、利用者によって指定された両替パターンと、記憶部７２に記憶された入金貨幣の数量と、手数料設定記憶部７１に記憶された手数料とに基づいて、手数料算出部１１によって両替手数料が算出される（図４のＳ２３参照）。
【００３９】
両替手数料算出
なお、このように両替手数料が算出される際に、以下の工程が行われる。
【００４０】
まず、手数料算出部１１によって設定情報が読み出される（図５のＳ２３１参照）。具体的には、手数料算出部１１によって、顧客区分判別部８１によって判別された顧客区分が読み出されるとともに、日時情報記憶部７５に記憶された日にちまたは時間が読み出される。
【００４１】
次に、比較部１０によって、操作パネル６１で指定された貨幣の数量と、入金数量記憶部７２に記憶された入金貨幣の数量とが比較される（図５のＳ２３２参照）。
【００４２】
次に、手数料算出部１１によって、比較部１０で比較された貨幣のうち数量の多い貨幣の数量に関して、顧客区分判別部８１によって判別された顧客区分に関する情報と、日時情報記憶部７５に記憶された日にちまたは時間に関する情報とに基づいて両替にかかる手数料が算出されて選択される（図５のＳ２３３参照）。その後、手数料算出部１１によって、当該手数料が決定される（図５のＳ２３４参照）。
【００４３】
上述のようにして、両替手数料が決定されると、次に、操作パネル６１に算出された両替手数料が表示される（図４のＳ２４参照）。
【００４４】
次に、制御部１５によって両替手数料の徴収が確認され（図４のＳ２５参照）、その後、操作パネル６１で指定された両替パターンからなる貨幣（両替金）が出金される（図４のＳ２６参照）。
【００４５】
次に、制御部１５によって、所定期間内（例えば一日）の取引回数（Ｃ）が１回加算される（図４のＳ２７参照）。
【００４６】
次に、カード挿入口４１に挿入されていたカードが利用者のもとに返却されるとともに、行われた処理内容がレシート処理部５５でレシートに印字されて、当該レシートがレシート発行口５１から発行される（図４のＳ４０参照）。
【００４７】
（無料両替取引）
他方、取引回数（Ｃ）が基準値未満であると判断された場合には、無料両替取引として、以下の工程が行われる。
【００４８】
まず、硬貨入金口２１や紙幣入出金口３５に投入された硬貨や紙幣などの貨幣の枚数が計数部６５によって計数される（図４のＳ３１参照）。
【００４９】
次に、利用者によって、両替パターンが選択される（図４のＳ３２参照）。
【００５０】
次に、操作パネル６１で指定された両替パターンからなる貨幣が出金される（図４のＳ３６参照）。
【００５１】
次に、制御部１５によって、所定期間内（例えば一日）の取引回数（Ｃ）が１回加算される（図４のＳ３７参照）。
【００５２】
次に、利用者によって、カード挿入口４１に挿入されていたカードが利用者のもとに返却されるとともに、行われた処理内容がレシート処理部５５でレシートに印字されて、当該レシートがレシート発行口５１から発行される（図４のＳ４０参照）。
【００５３】
本実施の形態によれば、上述のように、操作パネル６１で指定された貨幣の数量と入金貨幣の数量とを比較して、数量の多い貨幣の数量に基づいて両替にかかる手数料が算出される。このため、貨幣を処理する際にかかる負荷に対して、正当な手数料を徴収することができる。ところで、本実施の形態では、比較部１０で比較された貨幣のうち数量の多い貨幣の数量に基づいて両替にかかる手数料を算出する態様を用いて説明したが、これに限られることはなく、比較部１０で比較された貨幣のうち数量の少ない貨幣の数量に基づいて両替にかかる手数料を算出するようにしてもよい。
【００５４】
また、本実施の形態によれば、比較部１０で比較された貨幣のうち数量の多い貨幣の数量に関して、顧客区分に関する情報と、日にちまたは時間に関する情報とに基づいて両替にかかる手数料が算出されて選択される（図３（ａ）（ｂ）参照）。このため、顧客区分と、日にちまたは時間とに基づいて、両替手数料を決定することができ、顧客区分に応じた両替手数料の差別化を図るとともに、日にちや時間帯に応じた両替手数料の差別化を図ることができる。
【００５５】
なお、本実施の形態では、顧客区分と、日にちまたは時間の両方に基づいて、両替手数料が決定される態様を用いて説明したが、これに限られることはない。例えば、（比較部１０で比較された貨幣のうち数量の多い貨幣（または少ない貨幣）の数量に関して）顧客区分だけ、日にちだけ、時間だけで両替手数料を決定してもよいし、顧客区分、日にちおよび時間の三つのいずれも考慮して両替手数料を決定してもよい。
【００５６】
［変形例１］
なお、制御部１５は、顧客区分または日にちもしくは時間に応じて、手数料算出部１１で算出された手数料のうち、高くなる手数料で徴収するか（比較部１０で比較された貨幣の数量のうち、数量の多い貨幣の数量に基づいて手数料を徴収するか）、安くなる手数料で徴収するか（比較部１０で比較された貨幣の数量のうち、数量の少ない貨幣の数量に基づいて手数料を徴収するか）、を切り換えるように構成されていてもよい。
【００５７】
例えば、利用者が両替カードを用いた場合において、当該利用者が第１優遇客または第２優遇客（総称して「優遇客」ということもできる。）であると判別された場合には、比較部１０で比較された貨幣のうち数量の少ない貨幣の数量に基づいて両替にかかる手数料を算出して徴収し、他方、利用者が一般客であると判別された場合には、比較部１０で比較された貨幣のうち数量の多い貨幣の数量に基づいて両替にかかる手数料を算出して徴収してもよい。
【００５８】
また、利用者がキャッシュカードを用いた場合において、当該利用者が自行客であると判別された場合には、比較部１０で比較された貨幣のうち数量の少ない貨幣の数量に基づいて両替にかかる手数料を算出して徴収し、他方、利用者が他行客であると判別された場合には、比較部１０で比較された貨幣のうち数量の多い貨幣の数量に基づいて両替にかかる手数料を算出して徴収してもよい。
【００５９】
また、利用者が休日や夜間（営業時間外）に両替を行う場合には、比較部１０で比較された貨幣のうち数量の多い貨幣の数量に基づいて両替にかかる手数料を算出して徴収し、利用者が平日や昼間（営業時間内）で利用する場合には、比較部１０で比較された貨幣のうち数量の少ない貨幣の数量に基づいて両替にかかる手数料を算出して徴収してもよい。
【００６０】
以上のように、本変形例（変形例１）によれば、複雑な手数料体系をとることなく、容易に両替手数料の差別化をすることができる。
【００６１】
［変形例２］
また、上述した実施の形態では、比較部１０によって、操作パネル６１で指定された貨幣の数量と、記憶部７０に記憶された入金貨幣の数量とが比較される態様であったが、これに限られることはなく、操作パネル６１で指定された貨幣のうち課金対象設定部８２で設定されて課金対象設定記憶部７３で記憶された貨幣のみの数量と、記憶部７０に記憶された入金貨幣の数量とが比較されてもよい。
【００６２】
課金対象設定部８２によって、例えば、硬貨のみを課金対象にしたり、棒金のみを課金対象にしたり、新券のみを課金対象にしたりすることができる。このため、本変形例（変形例２）によれば、「硬貨のみ課金対象とする」、「棒金のみ課金対象とする」、「新券のみ課金対象とする」といった様々な金融機関の手数料体系に合わせた運用に柔軟に対応することができる。
【００６３】
［第２の実施の形態］
次に、図６により、本発明の第２の実施の形態について説明する。
【００６４】
第１の実施の形態は、操作パネル６１で指定された貨幣の数量と、記憶部７０に記憶された入金貨幣の数量とが比較され、その結果を用いて、両替にかかる手数料が算出される態様であったが、本実施の形態では、設定部９０によって、記憶部７０に記憶された入金貨幣の数量に基づいて両替にかかる手数料を算出するか、操作パネル６１で指定された貨幣の数量に基づいて手数料を算出するかを設定することができ、設定部９０での設定に基づいて、（比較されることなく）両替に関する手数料が算出される態様になっている。
【００６５】
図６に示す第２の実施の形態において、図１乃至図５に示す第１の実施の形態と同一部分には同一符号を付して詳細な説明は省略する。
【００６６】
本実施の形態によれば、設定部９０によって、記憶部７０に記憶された入金貨幣の数量に基づいて両替にかかる手数料を算出するか、操作パネル６１で指定された貨幣の数量に基づいて両替にかかる手数料を算出するかを予め自由に設定することができる。このため、金融機関の両替に関する手数料体系（入金貨幣に基づく手数料体系または出金貨幣に基づく手数料体系）に応じて、容易に設定することができる。
【００６７】
なお、本実施の形態でも第１の実施の形態と同様、設定部９０で設定された貨幣の数量に関して、顧客区分または日にちもしくは時間に関する情報に基づいて、両替にかかる手数料が算出されて選択されてもよい。このような態様によれば、顧客区分に応じた両替手数料の差別化を図るとともに、日にちや時間帯に応じた両替手数料の差別化を図ることができる。なおこのとき、顧客区分と日にちまたは時間の両方に基づいて両替手数料が決定されてもよいし、顧客区分だけ、日にちだけ、時間だけで両替手数料が決定されてもよいし、顧客区分、日にちおよび時間の三つのいずれもが考慮されて両替手数料が決定されてもよい。
【００６８】
また、設定部９０によって操作パネル６１で指定された貨幣の数量に基づいて手数料を算出するように設定された際には、操作パネル６１で指定された貨幣のうち課金対象設定部８２で設定されて課金対象設定記憶部７３で記憶された貨幣の数量のみに基づいて、両替手数料が算出されてもよい。このような態様によれば、「硬貨のみ課金対象とする」、「棒金のみ課金対象とする」、「新券のみ課金対象とする」といった様々な金融機関の手数料体系に合わせた運用に柔軟に対応することができる。
【００６９】
また、本実施の形態の手数料算出部１１も、操作パネル６１で指定される貨幣が包装硬貨である場合には、他の貨幣とは別の設定に基づいて枚数を換算するように構成されている。そして、手数料算出部１１は、包装硬貨１本につき５０枚として換算してもよいし、包装硬貨１本につき２０枚または３０枚などとしてやり、実際にかかる負荷に応じて枚数を決定してもよい。
【符号の説明】
【００７０】
１０        比較部
１１        手数料算出部
１５        制御部
２０        硬貨処理部
２１        硬貨入金口
２２        バラ硬貨出金口
２３        棒金出金口
３０        紙幣処理部
３５        紙幣入出金口
４１        カード挿入口
４５        カード処理部（利用者識別部）
５１        レシート発行口
５５        レシート処理部
６０        筐体
６１        操作パネル（指定部）
６５        計数部
７０        記憶部
７１        手数料設定記憶部
７２        入金数量記憶部
７３        課金対象設定記憶部
７４        顧客情報記憶部
７５        日時情報記憶部
８１        顧客区分判別部
８２        課金対象設定部
９０        設定部
【図１】
0005512327.tif 000002
【図２】
0005512327.tif 000003
【図３】
0005512327.tif 000004
【図４】
0005512327.tif 000005
【図５】
0005512327.tif 000006
【図６】
0005512327.tif 000007